(57)【要約】【課題】ボックス内の文書に対する各種の処理を容易に行うことができ、ユーザの負担を軽減するできる文書処理装置を提供する。【解決手段】文書に対して行う処理内容と前記処理内容に対応する実行タイミングとを一対として、前記処理内容と前記実行タイミング対を複数含む処理情報を受けて記憶しておく。所定のボックス内の文書に対して、前記処理情報に含まれる前記処理内容に対応する前記実行タイミングが満たされたときに、前記実行タイミングに対応する前記処理内容に基づいた処理を実行する。【選択図】  図２
2006325203.tif 000002
【特許請求の範囲】
【請求項１】
文書を記憶する複数のボックスと、
前記文書に対して行う処理内容と前記処理内容に対応する実行タイミングとを一対として、前記処理内容と前記実行タイミング対を複数含む処理情報を、受ける処理情報入力手段と、
前記処理情報を記憶する記憶手段と、
前記文書に対して、前記処理情報に含まれる前記処理内容に基づいた処理を実行する処理手段と、を備え、
前記処理情報は、所定のボックスと関連付けられるとともに、前記複数のボックス毎に異ならせることが可能であり、
前記処理手段は、所定のボックス内の文書に対して、前記処理情報に含まれる前記処理内容に対応する前記実行タイミングが満たされたときに、前記実行タイミングに対応する前記処理内容に基づいた処理を実行することを特徴とする文書処理装置。
【請求項２】
請求項１において、前記処理情報入力手段は、
文書処理装置の操作パネルを介した入力手段、ネットワークを介して接続された外部の入出力装置からの入力手段、のうちいずれかであることを特徴とする文書処理装置。
【請求項３】
請求項１または２において、前記処理情報は関連付けられたボックス内に記憶されることにより前記処理情報と前記ボックスとが関連付けられる、あるいは前記処理情報は他の記憶手段にボックスと関連付けて記憶することにより前記処理情報と前記ボックスとが関連付けられることを特徴とする文書処理装置。
【請求項４】
文書を記憶する複数のボックスと、
前記文書に対して行う処理内容と前記処理内容に対応する実行タイミングとを一対として、前記処理内容と前記実行タイミング対を複数含む処理情報を、受ける処理情報入力手段と、
前記処理情報を記憶する記憶手段と、
前記文書に対して、前記処理情報に含まれる前記処理内容に基づいた処理を実行する処理手段と、を備え、
前記処理情報は、所定のボックスと関連付けられるとともに、前記複数のボックス毎に異ならせることが可能であり、
前記処理手段は、所定のボックス内の文書に対して、前記処理情報に含まれる前記処理内容に対応する前記実行タイミングが満たされたときに、前記実行タイミングに対応する前記処理内容に基づいた処理を実行することを特徴とする画像形成装置。
【請求項５】
請求項４において、前記処理情報入力手段は、
文書処理装置の操作パネルを介した入力手段、ネットワークを介して接続された外部の入出力装置からの入力手段、のうちいずれかであることを特徴とする画像形成装置。
【請求項６】
請求項４または５において、前記処理情報は関連付けられたボックス内に記憶されることにより前記処理情報と前記ボックスとが関連付けられる、あるいは前記処理情報は他の記憶手段にボックスと関連付けて記憶することにより前記処理情報と前記ボックスとが関連付けられることを特徴とする画像形成装置。
【請求項７】
文書を記憶する複数のボックスを備えた文書処理装置における文書処理方法であって、
前記文書に対して行う処理内容と前記処理内容に対応する実行タイミングとを一対として、前記処理内容と前記実行タイミング対を複数含む処理情報を、受ける処理情報入力ステップと、
前記処理情報を記憶する記憶ステップと、
前記文書に対して、前記処理情報に含まれる前記処理内容に基づいた処理を実行する処理ステップと、を備え、
前記処理情報は、所定のボックスと関連付けられるとともに、前記複数のボックス毎に異ならせることが可能であり、
前記処理ステップは、所定のボックス内の文書に対して、前記処理情報に含まれる前記処理内容に対応する前記実行タイミングが満たされたときに、前記実行タイミングに対応する前記処理内容に基づいた処理を実行することを特徴とする文書処理方法。
【請求項８】
文書を記憶する複数のボックスを備えた文書処理装置としてコンピュータを機能させるプログラムが記録されたコンピュータ読み取り可能な記録媒体であって、
文書を記憶する複数のボックスと、
前記文書に対して行う処理内容と前記処理内容に対応する実行タイミングとを一対として、前記処理内容と前記実行タイミング対を複数含む処理情報を、受ける処理情報入力手段と、
前記処理情報を記憶する記憶手段と、
前記文書に対して、前記処理情報に含まれる前記処理内容に基づいた処理を実行する処理手段と、を備えた文書処理装置としてコンピュータを機能させるプログラムであり、
前記処理情報は、所定のボックスと関連付けられるとともに、前記複数のボックス毎に異ならせることが可能であり、
前記処理手段は、所定のボックス内の文書に対して、前記処理情報に含まれる前記処理内容に対応する前記実行タイミングが満たされたときに、前記実行タイミングに対応する前記処理内容に基づいた処理を実行することを特徴とするプログラムが記録されたコンピュータ読み取り可能な記録媒体。
【発明の詳細な説明】
【技術分野】
【０００１】
本発明は、文書を記憶するボックスを有する文書処理装置に関し、特にボックスに記憶された文書に対して所定の文書処理を行うボックス処理機能を備えた文書処理装置に関する。
【背景技術】
【０００２】
従来、ネットワークに接続されたプリンタ、ファクシミリ装置、複合機等の文書処理装置において、取得した文書を記憶するボックス機能を有するものが知られている。
【０００３】
たとえば、特開平１０−１４５４９３号公報には、メッセージの登録の直前直後及び取り出しの直前直後に自動的に実行されるプログラムの記憶領域をボックス毎に設定し、メッセージ処理手続き実行装置が、各タイミングでプログラムを実行するようにしたメッセージ蓄積交換装置が開示されている。この自動的に実行される処理としては、ボックスにメッセージが登録される前にボックス内のメッセージを消去する処理、ボックスにメッセージが登録された後にボックスの持ち主のファクシミリに着信通知を出す処理、ボックスからメッセージが取り出される前に管理者からのお知らせがあれば送付する処理、およびボックスからメッセージが取り出された後に取り出されたメッセージの発信者に取り出し通知を送付する処理等が例示されている。また、ボックスから取り出されるメッセージをメッセージ取出者が必要とするデータフォーマットに変換する処理も例示されている（下記特許文献１参照）。
【０００４】
また、特開２００２−１８５７５２号公報には、受信データの属性（発信者番号、着信ダイヤルイン、着信回線等）と特定のデータボックスとを対応づけた選定条件が登録された振り分けテーブルを属性情報毎に設け、さらに、その属性情報毎の振り分けテーブルの優先順位を規定した優先順位テーブルを設け、この優先順位テーブルに基づいた順序で振り分けテーブルを参照し、受信データの属性情報と当該振り分けテーブルに登録された属性情報とを比較して、一致した属性情報に対応するデータボックスに当該受信データを格納する通信端末装置が開示されている（下記特許文献２参照）。
【０００５】
また、特開２００１−１９７３１９号公報には、外部情報処理装置からデータ有無照会信号を受けると、指定された親展ボックスの画像データの有無を調べてレポートを作成し、外部情報処理装置へ送信する一方、外部情報処理装置からデータ送信要求信号を受けると、指定された親展ボックスの画像データの有無を調べ、画像ありの場合は、指定された親展ボックスの画像データを読み出して、外部情報処理装置へ送信する画像形成装置が開示されている（下記特許文献３参照）。
【特許文献１】特開平１０−１４５４９３号公報
【特許文献２】特開２００２−１８５７５２号公報
【特許文献３】特開２００１−１９７３１９号公報
【発明の開示】
【発明が解決しようとする課題】
【０００６】
ところで、ボックス内の文書を用いる作業が進展していく場合等には、ボックス内に一旦登録された文書であってもその文書内容を変更するなど、文書に対する各種の処理を行いたい場合がある。
【０００７】
しかしながら、従来のボックス機能ではボックス内の文書の文書内容を変更するには、ユーザが一旦文書をボックスからパーソナルコンピュータ等に取り出して手動で変更操作を行わなければならなかった。
【０００８】
また、ボックス内の文書を用いる作業が進展していく場合等には、ボックス内の文書をプリントアウトする目的が変化していく場合がある。
【０００９】
しかしながら、従来のボックス機能では、ボックス内の文書のプリントモードの設定は、プリントアウトのタイミングに応じてユーザがその都度手動で行わなければならなかった。
【００１０】
そこで本発明は、ボックス内の文書に対する各種の処理を容易に行うことができ、ユーザの負担を軽減することを目的とする。
【課題を解決するための手段】
【００１１】
本発明は、下記の手段を提供する。すなわち、
［１］文書を記憶する複数のボックスと、
前記文書に対して行う処理内容と前記処理内容に対応する実行タイミングとを一対として、前記処理内容と前記実行タイミング対を複数含む処理情報を、受ける処理情報入力手段と、
前記処理情報を記憶する記憶手段と、
前記文書に対して、前記処理情報に含まれる前記処理内容に基づいた処理を実行する処理手段と、を備え、
前記処理情報は、所定のボックスと関連付けられるとともに、前記複数のボックス毎に異ならせることが可能であり、
前記処理手段は、所定のボックス内の文書に対して、前記処理情報に含まれる前記処理内容に対応する前記実行タイミングが満たされたときに、前記実行タイミングに対応する前記処理内容に基づいた処理を実行することを特徴とする文書処理装置。
【００１２】
［２］前項１において、前記処理情報入力手段は、
文書処理装置の操作パネルを介した入力手段、ネットワークを介して接続された外部の入出力装置からの入力手段、のうちいずれかであることを特徴とする文書処理装置。
【００１３】
［３］前項１または２において、前記処理情報は関連付けられたボックス内に記憶されることにより前記処理情報と前記ボックスとが関連付けられる、あるいは前記処理情報は他の記憶手段にボックスと関連付けて記憶することにより前記処理情報と前記ボックスとが関連付けられることを特徴とする文書処理装置。
【００１４】
［４］文書を記憶する複数のボックスと、
前記文書に対して行う処理内容と前記処理内容に対応する実行タイミングとを一対として、前記処理内容と前記実行タイミング対を複数含む処理情報を、受ける処理情報入力手段と、
前記処理情報を記憶する記憶手段と、
前記文書に対して、前記処理情報に含まれる前記処理内容に基づいた処理を実行する処理手段と、を備え、
前記処理情報は、所定のボックスと関連付けられるとともに、前記複数のボックス毎に異ならせることが可能であり、
前記処理手段は、所定のボックス内の文書に対して、前記処理情報に含まれる前記処理内容に対応する前記実行タイミングが満たされたときに、前記実行タイミングに対応する前記処理内容に基づいた処理を実行することを特徴とする画像形成装置。
【００１５】
［５］前項４において、前記処理情報入力手段は、
文書処理装置の操作パネルを介した入力手段、ネットワークを介して接続された外部の入出力装置からの入力手段、のうちいずれかであることを特徴とする画像形成装置。
【００１６】
［６］前項４または５において、前記処理情報は関連付けられたボックス内に記憶されることにより前記処理情報と前記ボックスとが関連付けられる、あるいは前記処理情報は他の記憶手段にボックスと関連付けて記憶することにより前記処理情報と前記ボックスとが関連付けられることを特徴とする画像形成装置。
【００１７】
［７］文書を記憶する複数のボックスを備えた文書処理装置における文書処理方法であって、
前記文書に対して行う処理内容と前記処理内容に対応する実行タイミングとを一対として、前記処理内容と前記実行タイミング対を複数含む処理情報を、受ける処理情報入力ステップと、
前記処理情報を記憶する記憶ステップと、
前記文書に対して、前記処理情報に含まれる前記処理内容に基づいた処理を実行する処理ステップと、を備え、
前記処理情報は、所定のボックスと関連付けられるとともに、前記複数のボックス毎に異ならせることが可能であり、
前記処理ステップは、所定のボックス内の文書に対して、前記処理情報に含まれる前記処理内容に対応する前記実行タイミングが満たされたときに、前記実行タイミングに対応する前記処理内容に基づいた処理を実行することを特徴とする文書処理方法。
【００１８】
［８］文書を記憶する複数のボックスを備えた文書処理装置としてコンピュータを機能させるプログラムが記録されたコンピュータ読み取り可能な記録媒体であって、
文書を記憶する複数のボックスと、
前記文書に対して行う処理内容と前記処理内容に対応する実行タイミングとを一対として、前記処理内容と前記実行タイミング対を複数含む処理情報を、受ける処理情報入力手段と、
前記処理情報を記憶する記憶手段と、
前記文書に対して、前記処理情報に含まれる前記処理内容に基づいた処理を実行する処理手段と、を備えた文書処理装置としてコンピュータを機能させるプログラムであり、
前記処理情報は、所定のボックスと関連付けられるとともに、前記複数のボックス毎に異ならせることが可能であり、
前記処理手段は、所定のボックス内の文書に対して、前記処理情報に含まれる前記処理内容に対応する前記実行タイミングが満たされたときに、前記実行タイミングに対応する前記処理内容に基づいた処理を実行することを特徴とするプログラムが記録されたコンピュータ読み取り可能な記録媒体。
【発明の効果】
【００１９】
本発明によると、ボックス内の文書に対する各種の処理を容易に行うことができ、ユーザの負担を軽減することができる。
【発明を実施するための最良の形態】
【００２０】
以下、本発明の一実施形態について図１〜図１５を参照しながら説明する。
【００２１】
文書処理装置１は、プリンタ、スキャナー、コピー、ファクシミリ等の各機能を備えたいわゆる複合機（Multi Function Peripherals：ＭＦＰ）からなる。
【００２２】
図１は、本発明の一実施形態にかかる文書処理装置を含む文書処理システムの全体構成を示す概念図である。この図１に示すように、この文書処理装置１は、ＬＡＮ等のネットワーク３を介し、パーソナルコンピュータ等からなる複数の入出力端末２…と接続され、各入出力端末２と各種情報の送受ができるようになっている。文書処理装置１は、これら複数の入出力装置２…およびネットワーク３とともに文書処理システムを構成している。
【００２３】
文書処理装置１は、ＣＰＵ、ＲＡＭ、ＲＯＭ等からなるマイクロコンピュータを含んでおり、機能的に、装置全体の制御を行う動作制御部１１と、ネットワーク３と接続するためのネットワークインターフェース部１２と、ユーザから種々の入力を受けるための操作パネル１３と、各種の文書処理のプログラムの登録処理を行うプログラム登録部１４と、各種の文書処理のプログラムを実行するプログラム実行部１６と、複数のボックス１５１…を有する記憶部１５と、文書処理のうち文書内容の変更処理を行う画像処理部１７と、文書のプリント処理を行うプリント部１８と、原稿を読み取る原稿読み取り部１９とを備えている。以下、各部について説明する。
【００２４】
（動作制御部）
動作制御部１１は、この文書処理装置１の各動作を統括的に制御するものである。
【００２５】
この動作制御部１１は、たとえばＣＰＵ、ＲＡＭ、ＲＯＭ等からなるマイクロコンピュータ上に構成されている。
【００２６】
（ネットワークインターフェース部）
ネットワークインターフェース部１２は、入出力端末（パーソナルコンピュータ等）２…と各種情報を送受するため、ネットワーク３と接続するためのものであり、たとえばネットワークカードからなる。
【００２７】
（操作パネル）
操作パネル１３は、ユーザから種々の入力を受ける入力手段として機能するものであり、タッチパネルや押しボタンスイッチ等から構成されている。
【００２８】
この操作パネル１３は、ユーザからボックス１５１内の文書に対して行う種々の文書処理の内容の入力を受ける処理内容入力手段として機能する。文書処理としては、ボックス１５１内の文書を予め設定した送付先に送信（転送）する処理、ボックス１５１内に文書が登録されたことを予め設定した通知先に通知する処理、ボックス１５１内の複数の文書を合成してプリント出力する処理等の他、ボックス１５１内の文書の文書内容を変更する処理等を挙げることができる。なお後述するように、これらの文書処理はそれぞれの実行条件が満たされたときに実行される。
【００２９】
また、操作パネル１３は、ユーザからボックス１５１内の文書に対するプリント指示の入力を受けるプリント指示入力手段として機能する。
【００３０】
また、操作パネル１３は、ボックス１５１内の文書をプリントアウトする際のプリントモードを、ボックス１５１内の文書の文書処理の段階（文書の状況）に応じて予め設定しておく場合に、そのプリントモードの設定内容をユーザから受けるプリントモード内容入力手段として機能する。
【００３１】
（プログラム登録部）
プログラム登録部１４は、ボックス１５１…内の文書に対して行う種々の文書処理等のためのプログラムコードを各ボックス１５１…に登録するものである。また、このプログラム登録部１４は、ボックス１５１…内の文書をプリントアウトする際のプリントモードが予め設定される場合には、そのプリントモードを、プリントモードの設定処理（変更処理）を行う文書処理のプログラムが参照できるデータ形式にして各ボックス１５１…に登録する処理も行う。
【００３２】
このプログラム登録部１４は、たとえばＣＰＵ、ＲＡＭ、ＲＯＭ等からなるマイクロコンピュータ上に構成されている。
【００３３】
この実施形態では、上述したように文書処理の内容はユーザによって操作パネル１３から入力される。プログラム登録部１４は、このユーザによって入力された文書処理の内容を実行するためのプログラムコードを作成する。すなわち、プログラム登録部１４は、プログラムコード作成手段としての機能を有している。
【００３４】
（記憶部）
記憶部１５は、たとえば、ハードディスク、書換可能なＤＶＤ装置、フラッシュメモリ等の記憶装置からなり、この文書処理装置１が取得する文書を登録可能な複数のボックス１５１…を有している。
【００３５】
図２は、ボックス１５１の概念説明図であり、図２（ａ）は、ボックスの構成図である。この図２（ａ）に示すように、各ボックス１５１…は、それぞれ文書情報（画像情報）、文書処理内容、プリントモード情報を記憶できる。
【００３６】
＜文書情報＞
文書情報は、所定のデータフォーマットによる文書データや画像データを含み、たとえば電子ファイルとして扱われるものである。各ボックス１５１…には、１または複数の文書情報が登録可能になっている。各文書情報には、プリントアウト対象となる文書データや画像データ等の文書本体とともに、そのファイル作成日時（ファイル保存日時）、ファイル作成者、ファイル種類、ファイル属性等のファイル管理情報、さらにフォント種類、ページ番号、１頁行数、１行文字数、ヘッダーおよびフッター等の文書スタイルに関する文書形式情報等も含まれる。なお、文書作成日、文書ファイル名、発行部署、承認欄、文書番号等の文書管理情報は、プリントアウト対象となる文書データや画像データ等の文書本体中に含まれていてもよい。
【００３７】
＜処理情報＞
処理情報は、そのボックス１５１内の文書に対して行う各種の文書処理の内容を示す情報である。この実施形態では、文書情報を記憶する各ボックス自身が処理情報をも記憶することで処理内容記憶手段としても機能するものとなっている。すなわち、この実施形態では、処理内容記憶手段は、各ボックス１５１内に設けられている。
【００３８】
処理情報は、具体的には、上述したプログラム登録部１４によって作成される文書処理の内容を実行するためのプログラム（プログラムコード）であり、プログラム登録部１４によって登録される。各ボックスには、１または複数の処理情報を設定することができる。
【００３９】
この処理情報には、互いに関連付けられた実行条件（実行タイミング）と、具体的な処理内容とが含まれる。実行条件とは、当該プログラムの具体的な処理内容を実行するプログラム起動条件である。
【００４０】
実行条件としては、予め指定された送信元から文書を受信した時、予め設定された複数の文書が前記ボックス内に登録された時、前記ボックス内の文書に対して文書内容の変更が完了した時、予め設定された指定時間が経過した時等を設定することができる。
【００４１】
処理内容としては、上述したように、ボックス１５１内の文書を予め設定した送付先に送信（転送）する処理、ボックス１５１内に文書が登録されたことを予め設定した通知先に通知する処理、ボックス１５１内の複数の文書を合成してプリント出力する処理、ボックス１５１内の文書の文書内容を変更する処理等を設定することができる。
【００４２】
文書内容を変更する処理としては、プリントアウト対象となる文書データや画像データ等の文書本体中に含まれている文書作成日、文書ファイル名、発行部署、承認欄、文書番号等の文書管理情報を変更することができる。また、ファイル作成日時（ファイル保存日時）、ファイル作成者、ファイル種類、ファイル属性等のファイル管理情報を変更してもよい。また、フォント種類、ページ番号、１頁行数、１行文字数、ヘッダーおよびフッター等の文書スタイルに関する文書形式情報等を変更してもよい。
【００４３】
図２（ｂ）は、処理情報の一例を示す説明図である。この図２（ｂ）では説明のために処理情報を自然言語で表現しているが、実際にはプログラミング言語等で記載される。たとえば「文書受信時」という実行タイミングが記載された処理情報は、ボックスが文書を受信したという実行条件が満たされたときに、「指定登録元からの文書であればボックス内に登録する」という具体的な文書処理を行うことを示している。なお、これら処理情報の例は、後述するボックス１５１内の文書を用いた具体的な作業を実施する場合に設定されるものを想定したものであり、その具体的な内容については後述する。
【００４４】
＜プリントモード情報＞
プリントモード情報とは、そのボックス１５１内の文書をプリントアウトする際に適用するプリントモードを示す情報である。このプリントモード情報は、ボックス１５１内の文書に対する文書処理の各段階（文書状況）に応じて異なるプリントモードを設定することができる。この実施形態では、文書情報を記憶する各ボックス１５１自身がプリントモード情報をも記憶することでプリントモード記憶手段としても機能するものとなっている。すなわち、この実施形態では、プリントモード記憶手段は、各ボックス１５１内に設けられている。このプリントモード情報は、具体的には、ユーザによって操作パネル１３から入力され、上述したプログラム登録部１４によってデータ形式等が変換されて登録される。
【００４５】
このプリントモード情報には、互いに関連付けられた文書処理の段階（文書状況）と、具体的なプリントモードの内容とが含まれる。
【００４６】
文書処理の段階とは、ボックス内の文書が上述した文書処理のどの段階まで実行されているかを表現したものであり、ボックス１５１内の文書が置かれた状況、あるいはボックス１５１内の文書の立場を示す。具体的には、文書処理の段階としては、ボックス１５１内で文書が作成されつつある「文書作成中」、ボックス１５１内の文書が完成した「文書作成後」、完成した文書が特定の承認者によって承認された「文書承認後」等を挙げることができる。
【００４７】
プリントモードの内容としては、通常のプリントを行う際にユーザが設定可能なものでよい。具体的には、プリントモードとしては、用紙種類、用紙サイズ、レイアウト、カラーモード、両面プリントまたは片面プリントの指定、給紙源の指定等を挙げることができる。用紙種類とは、普通紙、再生紙、高級紙、両面不可紙、あるいはＯＨＰフィルム等、用紙の性質による区別である。レイアウトは、１枚の出力用紙にプリントする原稿の枚数や原稿を並べる順序や位置などである。なお、１枚の出力用紙にＮ枚の原稿を配置する場合をＮｉｎ１と呼び、たとえば１枚の出力用紙に４枚の原稿を配置する場合は４ｉｎ１と表現する。カラーモードとは、カラー、モノクロ、さらに解像度やカラーの色数等の区別である。給紙源の指定とは、複数の給紙カセット等が存在するなどの場合の給紙源（給紙カセット）の指定をいう。
【００４８】
図２（ｃ）は、プリントモード情報の一例を示す説明図である。この例では、「文書作成中」にプリント指示があれば、「４ｉｎ１、両面コピー、モノクロ」というプリントモードでプリントが行われ、「文書作成後」にプリント指示があれば、「２ｉｎ１、両面不可紙、カラー」というプリントモードでプリントが行われ、「文書承認後」にプリント指示があれば、「１ｉｎ１、カラー」というプリントモードでプリント行われることを示している。なお、ここに指定されていないプリントモードの項目は、その直前の設定やデフォルトの設定とすればよい。
【００４９】
（プログラム実行部）
プログラム実行部１６は、記憶部１５の各ボックス１５１…に記憶された処理情報（プログラムコード）を実行することにより、ボックス１５１…内の文書に対して各種の文書処理を行うものである。すなわち、プログラム実行部１６は、文書処理手段として機能する。
【００５０】
このプログラム実行部１６は、たとえばＣＰＵ、ＲＡＭ、ＲＯＭ等からなるマイクロコンピュータ上に構成されている。
【００５１】
このプログラム実行部１６は、文書内容の変更を伴う文書処理は、後述する画像処理部１７を呼び出して、画像処理部１７に行わせる。すなわち、プログラム実行部１６は画像処理部１７とともに文書内容変更処理手段として機能する。
【００５２】
また、文書処理装置１がユーザからプリント指示を受けたとき、プログラム実行部１６は、各ボックス１５１…に記憶されたプリントモード情報に従ってプリントモードの変更指示を送る。すなわち、プログラム実行部１６はプリント部１８とともにプリントモード制御手段として機能する。
【００５３】
（画像処理部）
画像処理部１７は、ボックス１５１…内の文書に対して行われる文書処理のうち、文書内容の変更を伴う処理を行うものである。
【００５４】
この画像処理部１７は、たとえばＣＰＵ、ＲＡＭ、ＲＯＭ等からなるマイクロコンピュータによって構成されている。
【００５５】
この画像処理部１７は、記憶部１５の各ボックス１５１…に記憶された処理情報（プログラムコード）を実行することにより、ボックス１５１…内の文書に対してその文書内容を変更する文書処理（画像処理）を行う。すなわち画像処理部１７は文書内容変更処理手段として機能する。
【００５６】
文書内容を変更する文書処理（画像処理）としては、上述したように、文書データ中に含まれている文書作成日を変更すること等を挙げることができる。
【００５７】
（プリント部）
プリント部１８は、文書を出力用紙等にプリントアウトするものであり、たとえば電子写真方式のプリンタ装置からなる。プリントアウトされる文書には、プリント指示とともに文書処理装置１に送られてくる文書のほか、ボックス１５１内に登録されている文書も含まれる。プリント部１８は、プログラム実行部１６からプリントモードの変更指示を受ければ、各ボックス１５１…に記憶されたプリントモード情報に従ってプリントモードを変更し、プリントアウト処理を行う。すなわち、プリント部１８はプリントモード制御手段として機能する。
【００５８】
（原稿読み取り部）
原稿読み取り部１９は、原稿上の画像を電子データとして読み取るものであり、たとえばスキャナー装置からなる。
【００５９】
（具体例）
以下、ボックス１５１内の文書を用いて行われる具体的な作業の一例を挙げ、この場合の各種の設定や処理の流れについて説明する。
【００６０】
図３は、この作業の一例の流れを示す説明図である。この例は、３人のユーザ（ユーザ１，２，３）が文書の各部を分担して作成し、完成した文書の内容が第４のユーザ（ユーザ４）によって承認されれば、承認された文書を第５のユーザ（ユーザ５）に見せるという一連の作業の流れを想定している。そして、この一連の作業を容易に行うべく、文書処理装置１のボックス１５１が利用される。具体的にボックス１５１が関わる文書処理は以下のとおりである。
【００６１】
（１）ユーザ１〜３による文書の登録
ユーザ１〜３によって作成された文書の各部が、それぞれの入出力端末（パーソナルコンピュータ：ＰＣ）２…から文書処理装置１の特定のボックス１５１に登録される。
【００６２】
（２）文書処理（画像処理Ａ）
ユーザ１〜３からの文書の各部が揃えば、ボックス１５１内の文書に対して文書内容の変更を伴う文書処理が行われ、文書が完成される。ここでは、図４に示すように、ユーザ１〜３がそれぞれ作成した文書の各部がそれらの中に含まれる章番号によって順序正しく並べ換えて、さらに、文書中に含まれる文書作成日付が、実際に文書が完成した日に変更するという文書処理（画像処理Ａ）が行われる。
【００６３】
（３）ユーザ４へ送信
完成された文書は、ボックス１５１からユーザ４の入出力端末（パーソナルコンピュータ：ＰＣ）２に送信（転送）される。
【００６４】
（４）ユーザ４から返信
完成した文書の内容がユーザ４によって確認されれば、その文書が再びボックス１５１に返信される。
【００６５】
（５）文書処理（画像処理Ｂ）
ユーザ４から返信されてきたボックス１５１内の文書に対して、この文書がユーザ４によって承認されたものであることを加えるという、文書内容の変更を伴う文書処理が行われる。ここでは、図５に示すように、文書中からユーザ４が承認したことを記録する部分（承認欄）を探し出し、ここにユーザ４の承認印を押す文書内容の変更を伴う文書処理（画像処理Ｂ）が行われる。
【００６６】
（６）ユーザ５へ送信
ユーザ４に承認された文書は、ボックス１５１からユーザ５の入出力端末（パーソナルコンピュータ：ＰＣ）２に送信される。
【００６７】
また、ボックス１５１内の文書をプリントアウトする目的等がこうした作業の段階によって変化することに応じるため、作業の段階（文書の処理の段階）に応じたプリントモードが自動的に適用されるようにする。
【００６８】
図６は、文書の処理の段階に応じて設定されたプリントモードの一例である。この例では、文書作成中には４ｉｎ１、両面コピー、モノクロのプリントモードが設定され、文書作成後には２ｉｎ１、両面不可紙、カラーのプリントモードが設定され、文書返信後には１ｉｎ１、カラーのプリントモードが設定されている。
【００６９】
（文書処理の内容の登録）
以上の文書処理をボックス１５１において行うために、ユーザによって行われる文書処理の内容を登録する作業について説明する。なお、この文書処理の内容の登録は、上述した一連の作業（１）〜（６）に先立って行われるものである。図７〜図９は、ボックス１５１に文書処理機能を設定する際の操作パネル１３の画面例である。
【００７０】
まず、ユーザは、文書処理を行うボックス、すなわち新しいボックス機能を設定するボックスを指定する。図７（ａ）は、この文書処理を行うボックスの選択画面である。ユーザは、表示されている既存のボックスを選択するか、新規ボックスボタンにより新しいボックスを作成すればよい。
【００７１】
ボックスが指定されれば、そのボックスにおいて文書処理の対象とするためにそのボックスに登録する文書（以下、登録文書という）を特定するための特徴を決定する。図７（ｂ）は、登録文書を特定する特徴の入力画面である。この実施形態にかかる文書処理装置１では、登録文書を特定する特徴として、送信元、ファイル名、時間等が選択可能な項目として予め用意されている。
【００７２】
登録文書を特定する特徴としてたとえば「送信元」が選択されれば、その送信元を具体的に入力する。送信元とは、送信者を特定できる情報であり、送信者自身の識別番号や送信者が使用する入出力端末のアドレス等を挙げることができる。図７（ｃ）は、登録文書を特定する送信元の入力画面である。送信元が文書処理装置１に登録済みであるならば、「宛先表へ」ボタンから登録済みの端末一覧を表示させてその中から選択できる。また、上述した具体例のように、ユーザ１〜３の複数のユーザが文書の各部を分担して作成する場合には、「追加」ボタンにより、複数のユーザ（あるいは各ユーザの入出力端末２…）を順次入力すればよい。
【００７３】
つづいて、ユーザ１〜３によって作成された文書がすべてボックスに登録された（揃った）ときに行う文書処理の内容を設定する。
【００７４】
なお、この実施形態にかかる文書処理装置１では、複数の文書が文書処理の対象とされた場合には、各文書中の章番号を参照して正しい順序に並べ換え、複数の文書を合体させて１つの文書に合成する文書処理が、予め設定されているものとする。
【００７５】
ここでは、合体させた各文書に含まれる日付を変更する文書処理（画像処理Ａ）の設定について説明する。
【００７６】
ユーザは、まず、文書内容のうちで変更する部分を特定する。図８（ａ）は、文書の変更部分の選択画面である。この実施形態にかかる文書処理装置１では、文書の変更部分として、日付、文書名、作成者、承認印、ページ数、フォント、行揃え、ヘッダー／フッター等が選択可能な項目として予め用意されている。ここでは、日付を選択すればよい。
【００７７】
変更部分が選択されると、ユーザはその文書内容の変更を行うタイミングを設定する。図８（ｂ）は、文書内容の変更を伴う文書処理を行うタイミングの選択画面である。この実施形態にかかる文書処理装置１では、文書処理のタイミングとして、ボックスへ文書を受信したとき、文書作成が完了したとき（登録される文書が揃ったとき）、文書が返信されたとき等が選択可能な項目として予め用意されている。ここでは、「文書作成完了」を選択すればよい。
【００７８】
文書内容の変更を行うタイミングが入力されると、ユーザはさらに他の文書処理等を行うかを選択する。図８（ｃ）は、文書内容の変更を伴う文書処理が設定された後の選択画面である。ここでは文書をユーザ４に送信するので、「文書送信」を選択する。
【００７９】
文書送信が選択されると、その送信先を具体的に入力する。図８（ｄ）は、文書の送信先の入力画面である。ユーザは上述した図７（ｃ）と同様に入力作業を行えばよい。送信先を入力後、ＯＫボタンにより、図８（ｃ）に戻る。
【００８０】
また、図８（ｃ）において、「プリント設定」を選択すれば、ユーザからプリント指示があった場合に適用するプリントモードを予め設定することができる。このプリントモードは、図８（ｃ）画面になる直前に設定した文書処理後の段階（文書状況）において適用されるものである。
【００８１】
図９（ａ）は、文書内容の変更を伴う文書処理後に適用するプリントモードの設定画面である。この実施形態にかかる文書処理装置１では、プリントモードとして、カラー、ページ、倍率、用紙サイズ等が選択可能な項目として予め用意されている。ここで、カラーを選択すれば、図９（ｂ）に示すカラーモードの設定画面に移る。ここでは、オートカラー、フルカラー、モノクロ等が選択可能な項目として予め用意されている。また、ページを選択すれば、図９（ｃ）に示すページ設定の設定画面に移る。ここでは、片面プリントと両面プリントの選択や、１ｉｎ１、２ｉｎ１、４ｉｎ１等のレイアウトの設定が、選択可能な項目として予め用意されている。
【００８２】
また、図８（ｃ）において、さらに他の文書内容の変更を伴う文書処理を行うのであれば、追加ボタンにより、図８（ａ）の文書の変更部分の選択画面に戻ることができる。たとえばユーザ４からの返信があった場合に承認印を押す文書処理（画像処理Ｂ）を設定するのであれば、図８（ａ）の画面で「承認印」を選択し、つづいて図８（ｂ）の画面で「文書返信」を選択すればよい。そして次の図８（ｃ）の画面で「プリント設定」を選択することにより、ユーザ４によって文書が承認された後（文書返信後）のプリントモードを設定することができる。
【００８３】
すべての文書処理およびプリントモードの設定が終了すれば、図８（ｃ）の画面において、「終了」を選択すればよい。
【００８４】
このようにしてユーザが操作パネル１３より文書処理の内容を入力すると、この文書処理の内容がプログラム登録部１４によってプログラムコードに変換され、ユーザが指定したボックス１５１の処理情報として登録される。また、ユーザによって入力された各処理の段階に応じたプリントモードもまたプログラム登録部１４によってボックス１５１のプリントモード情報として登録される。図２（ｂ）および図２（ｃ）は、こうして登録される処理情報およびプリントモード情報の例である。
【００８５】
（文書処理手順）
つぎに、以上のようにしてボックス１５１で行う文書処理の内容が登録された文書処理装置１において、上述した具体例の一連の作業をが行われる手順について説明する。
【００８６】
＜文書受信時の文書処理手順＞
図１０は、画像処理装置１が文書を受信したときの処理手順の一例を示すフローチャートである。
【００８７】
文書受信時の処理手順は、以下のとおりである。
【００８８】
まず、文書処理装置１に対していずれかの入出力端末（パーソナルコンピュータ）２…からボックス１５１に登録する文書が送信される。この送信には、既存のボックス一覧等の画面から登録すべきボックス１５１を指定した文書の登録指示とともに、その登録すべき文書の内容とが含まれる。
【００８９】
これを受信した文書処理装置１では、動作制御部１１がプログラム実行部１６に対してボックス１５１に登録されているプログラムのうち、実行条件を満たす処理内容のプログラムを実行させる。ここでは、文書を受信したという実行条件を満たすため、これに関連付けられた処理内容のプログラムが実行される。
【００９０】
プログラム実行部１６は、文書の画像処理装置１への登録が完了するまで文書登録作業を監視する（ステップＳ１１でＮＯ）。
【００９１】
文書の登録が完了すれば（ステップＳ１１でＹＥＳ）、プログラム実行部１６は、その文書が指定登録元（指定された送信元）から送信されたものか否かを判断する（ステップＳ１２）。指定登録元からの文書でなければ（ステップＳ１２でＮＯ）ここでの文書処理を終了する。
【００９２】
指定登録元からの文書であれば（ステップＳ１２でＹＥＳ）、プログラム実行部１６は、この文書を当該ボックス１５１に保存し（ステップＳ１３）、登録待ち文書数を１減らす（ステップＳ１４）。登録待ち文書数とは、全ての指定登録元からの文書が揃ったか否かを判定するためのカウンタであり、ここでは３人のユーザ１〜３から文書が登録されることが設定されているので初期値は３である。この登録待ち文書数は、このボックスに他の情報とともに記憶される。
【００９３】
上述した具体例のユーザ１〜３は指定登録元（送信元）であるので、これらユーザ１〜３から受信した文書は、当該ボックス１５１に登録文書として順次登録される。
【００９４】
つづいて、プログラム実行部１６は、登録待ち文書数が０になったか否かを判断し（ステップＳ１５）、登録待ち文書数が０でなければ（ステップＳ１５でＮＯ）、未だ登録すべき文書が揃っていないので、この文書受信処理を終了する。
【００９５】
登録待ち文書数が０となっていれば（ステップＳ１５でＹＥＳ）、登録すべき文書、すなわちユーザ１〜３からの文書が全て揃ったので、文書登録処理が完了したことを通知して（ステップＳ１６）、この文書受信処理を終了する。
【００９６】
この文書登録処理が完了した通知は、プログラム実行部１６自身に対して行われ、これによって実行条件を満たされる文書登録完了時の文書処理のプログラムが実行される。
【００９７】
＜文書登録完了時の文書処理手順＞
図１１は、文書登録が完了したときの処理手順の一例を示すフローチャートである。
【００９８】
プログラム実行部１６は、当該ボックス１５１への文書登録処理が完了したことを確認した後（ステップＳ２１でＹＥＳ）、画像処理部１７に対してボックス１５１内の文書の文書内容を変更する画像処理Ａを行わせる（ステップＳ２２）。
【００９９】
図１２は、文書登録が完了したときに行われる、文書内容の変更を伴う文書処理（画像処理Ａ）の手順の一例を示すフローチャートである。
【０１００】
画像処理部１７は、ボックス１５１に登録されている処理情報（プログラム）に従い、まず当該ボックス１５１内の全文書から章番号を検索する（ステップＳ３１）。当該ボックス１５１内の全文書とは、ここではユーザ１〜３がそれぞれ作成した文書である。章番号は、ユーザ１〜３がそれぞれ担当したの順序を判断する材料となりうるものであり、各文書の文書内容として文書データ中に含まれている。画像処理部１７は、文書内容を検索して、章番号が記載されている箇所を見つけだし、ユーザ１〜３がそれぞれ作成した文書が第何章であるかを判断する。
【０１０１】
図４に示した例では、ユーザ１が作成した文書が第２章、ユーザ２が作成した文書が第３章、ユーザ３が作成した文書が第１章である。
【０１０２】
こうして各文書が第何章であるかが判断されれば、画像処理部１７は、この判断結果に基づいて、各文書を章の順序どおり正しく並べ替える文書処理を行う（ステップＳ３２）。正しい順序に並べ替えられた各文書は１つの文書（文書ファイル）に合体合成される。
【０１０３】
つづいて画像処理部１７は、文書中に入力されている日付エリアを検索する（ステップＳ３３）。この日付エリアとは、文書の各部がユーザ１〜３によって作成された日付が記載されているものであり、文書内容として文書データ中に含まれている。
【０１０４】
図４に示した例では、ユーザ１が作成した文書（第２章）には２００２年９月１日、ユーザ２が作成した文書（第１章）には２００２年９月８日、ユーザ３が作成した文書（第１章）には２００２年９月３日という日付がそれぞれ記載されている。
【０１０５】
画像処理部１７は、文書中から見つけだした各日付エリアに対して、入力済みの日付エリアの大きさ、日付のフォント等に合わせ、現在の日付情報を作成して書き込む文書処理を行う（ステップＳ３４）。この文書処理は文書内容の変更を伴う文書処理（画像処理）である。これにより、ユーザ１〜３の文書が揃った時点、すなわち文書が完成した時点の日付が文書内容に記載された状態となる。
【０１０６】
以上で画像処理部１７による画像処理Ａを終了し、プログラム実行部１６に制御を移し、図１１のフローに戻る。
【０１０７】
プログラム実行部１６は、つぎに文書内容の変更を伴う文書処理（画像処理Ａ）が行われた文書を送信する指示（プログラム）があるか否かを判断する（ステップＳ２３）。
【０１０８】
送信指示がなければ（ステップＳ２３でＮＯ）、プログラム実行部１６は、そのまま文書登録完了時の処理を終了する。
【０１０９】
送信指示があれば（ステップＳ２３でＹＥＳ）、プログラム実行部１６は、ネットワークインターフェース部１２に対して、この文書を指定されている送信先へ送信するように文書送信指示を出し（ステップＳ２４）、文書登録完了時の処理を終了する。指定されている送信先とは、この例では、ユーザ４である。
【０１１０】
送信指示を受けたネットワークインターフェース部１２は、この文書を指定されている送信先（ユーザ４）に送信する。
【０１１１】
＜文書返信時の文書処理手順＞
図１３は、指定されている送信先（相手先）から文書が返信されてきたときの処理手順の一例を示すフローチャートである。
【０１１２】
この処理手順では、まず指定されている送信先（相手先）から文書処理装置１に文書が返信される。この返信される文書には、返信文書であることを示す情報と、どのボックス１５１に対する返信文書であるかが特定される情報が付属されている。動作制御部１１は、この返信文書を受けるべきボックス１５１の処理情報のうち文書返信時の実行条件が満たされているため、この実行条件に関連付けられた処理内容（プログラム）をプログラム実行部１６に実行させる。
【０１１３】
プログラム実行部１６は、当該ボックス１５１への返信文書の登録処理が完了したことを確認した後（ステップＳ４１でＹＥＳ）、画像処理部１７に対してボックス１５１内の文書（返信文書）の文書内容を変更する画像処理Ｂを行わせる（ステップＳ４２）。
【０１１４】
図１４は、文書が承認されて返信されてきたときに行われる、文書内容の変更を伴う文書処理（画像処理Ｂ）の手順の一例を示すフローチャートである。
【０１１５】
画像処理部１７は、ボックス１５１に登録されている処理情報（プログラム）に従い、まず当該ボックス１５１内の文書中に入力されている承認欄を検索する（ステップＳ５１）。当該ボックス１５１内の文書とは、ここではユーザ４から返信されてきた文書、すなわちユーザ４によって承認された文書である。この承認欄は、ユーザ１〜３がこの文書を作成する際にユーザ４の承認を得るとき用いるように、予め文書内容として文書データ中に作成されているものである。
【０１１６】
図５に示した例では、「○○仕様書」という用紙上に承認欄がある。
【０１１７】
画像処理部１７は、文書中から見つけだした承認欄に対して、ボックスの処理内容（プログラム）に登録されている返信者の名前（ユーザ４の名前）からなる承認印を、文書中の承認欄に、その承認欄のフォーマットに合わせて押す（ステップＳ５２）。この文書処理は文書内容の変更を伴う文書処理（画像処理）である。この文書処理により、ユーザ１〜３によって作成された文書は、ユーザ４によって承認されたことが文書内容から識別できるようになる。
【０１１８】
以上で画像処理部１７による画像処理Ｂを終了し、プログラム実行部１６に制御を移し、図１３のフローに戻る。
【０１１９】
プログラム実行部１６は、文書内容の変更を伴う文書処理（画像処理Ｂ）が行われた文書を次に送信する指示（プログラム）があるか否かを判断する（ステップＳ４３）。
【０１２０】
送信指示がなければ（ステップＳ４３でＮＯ）、プログラム実行部１６は、そのまま文書返信時の処理を終了する。
【０１２１】
送信指示があれば（ステップＳ４３でＹＥＳ）、プログラム実行部１６は、ネットワークインターフェース部１２に対して、この文書を指定されているつぎの送信先へ送信するように文書送信指示を出し（ステップＳ４４）、文書返信時の処理を終了する。指定されているつぎの送信先とは、この例では、ユーザ５である。
【０１２２】
送信指示を受けたネットワークインターフェース部１２は、この文書を指定されているつぎの送信先（ユーザ５）に送信する。
【０１２３】
＜プリント処理＞
図１５は、プリント指示を受けたときの処理手順の一例を示すフローチャートである。
【０１２４】
プリント指示は、ユーザ１〜５によるボックス１５１内の文書を用いた一連の作業の様々な処理の段階（文書状況）において出されうる。そして、その処理の段階に応じてボックス中のプリントアウトの目的も異なる。
【０１２５】
この処理手順では、まずユーザ１〜５のいずれかから文書処理装置１に対してプリント指示が発せられる。このプリント指示には、プリント指示を発した者を特定する情報と、プリントする文書およびその文書が入っているボックス１５１を特定する情報が含まれる。動作制御部１１は、このプリント指示がプリントを行う権限のある者によるものかを確認した後、このプリント指示にかかるボックス１５１の処理情報のうち、プリント指示を受けた時の実行条件が満たされているため、この実行条件に関連付けられた処理内容（プログラム）をプログラム実行部１６に実行させる。
【０１２６】
プログラム実行部１６は、このプリント指示が発せられたときの文書状況を取得する（ステップＳ６１）。この文書状況は、ボックス１５１の処理情報（図２（ｂ）参照）の実行タイミング（実行条件）のうち、どこまでが満たされて対応する文書処理が完了しているかによって判断できる。具体的には、各文書処理が実行されたときに、各文書処理を実行したことを示すフラグ等を当該ボックス１５１内あるいは他の記憶手段に記録しておき、これを参照すればよい。
【０１２７】
つづいてプログラム実行部１６は、以前にプリント指示があったときから文書状況が変化したか、すなわち以前にプリント指示があったときから何らかの文書処理を実行したかを判断する（ステップＳ６２）。この判断は、以前にプリント指示があったときの文書状況を当該ボックス１５１内あるいは他の記憶手段に記録しておき、これと現在の文書状況とを比較すればよい。
【０１２８】
以前の文書状況から変化がなければ（ステップＳ６２でＮＯ）、プログラム実行部１６は、ボックス１５１内の文書情報からプリントすべき文書を特定する情報を含むプリント実行指示をプリント部１８に送る（ステップＳ６４）。これを受けたプリント部１８では、ボックス１５１内の文書情報を参照して、予め設定されていたプリントモードでプリント処理を実行する。
【０１２９】
一方、以前の文書状況から変化があれば（ステップＳ６２でＹＥＳ）、プログラム実行部１６は、ボックス１５１のプリントモード情報（図２（ｃ）参照）を参照し、現在の文書状況に対応してユーザが登録したプリントモードの内容を取得し、プリントモードの設定を変更する（ステップＳ６３）。具体的には、プログラム実行部１６は、プリントモード情報からどのプリントモードの内容に設定するのかを特定する情報を作成しておく。
【０１３０】
そして、プログラム実行部１６は、ボックス１５１内の文書情報からプリントすべき文書を特定する情報を含むプリント実行指示をプリント部１８に送る（ステップＳ６４）。この場合、プリント実行指示には、上述したプリントモードの内容を特定する情報も含まれる。これを受けたプリント部１８では、ボックス１５１内のプリントモード情報を参照してプリントモードの設定を変更した上で、ボックス１５１内の文書情報を参照してプリントを実行する。
【０１３１】
上述の具体例では、文書登録完了時よりも前の段階、すなわちユーザ１〜３の少なくともいずれかは未だ文書を作成中で未完成の時点でプリント指示が発せられた場合（図２（ｃ）の「文書作成中」参照）、「４ｉｎ１、両面コピー、モノクロ」のプリントモードがユーザによって設定されている。このタイミングのプリントは、作業中の文書内容を確認する程度の目的である場合が多いため低コストでプリントするためである。
【０１３２】
文書登録完了時の後であって文書返信時よりも前の段階、すなわち文書は完成したがユーザ４の承認がなされていない時点でプリント指示が発せられた場合（図２（ｃ）の「文書作成後」参照）、「２ｉｎ１，両面不可紙、カラー」のプリントモードがユーザによって設定されている。このタイミングのプリントは、ユーザ４が文書内容を確認するために行ったことが想定され、低コストに抑えながらもその内容を十分に把握できるプリント物を提供するためである。
【０１３３】
文書返信時の後の段階、すなわちユーザ４の承認が終わった時点でプリント指示が発せられた場合（図２（ｃ）の「文書承認後」参照）、「１ｉｎ１、カラー」のプリントモードがユーザによって設定されている。このタイミングでのプリントは、承認された文書をたとえば客先に提示するなど、本格的な文書の利用に供するためである。
【０１３４】
（実施形態の効果）
以上のような文書処理装置によれば、ユーザがボックス内の文書の文書内容を変更する文書処理の内容をその実行条件とともに予め設定しておくことにより、実行条件が満たされたときに、文書内容を変更する文書処理が自動的に実行される。したがって、ユーザが文書を作成してボックスに登録すれば、その後はユーザの手を煩わせることなく、ユーザーのニーズに応じた文書内容の変更処理を伴う各種の文書処理（編集、修正、承認、回覧）を自動的に、間違いなく行うことができる。
【０１３５】
これにより、たとえば、「複数のユーザが１つの文書の各部を分担して作成する場合には、各部が揃ったときを文書が完成したときとするために各部を束ねた文書に日付を入れたい」、といった要求に対して、上述した文書処理装置ではユーザに過大な負担を掛けることなく容易に応じることができる。
【０１３６】
すなわち、上記の要求に対して従来のボックス機能では、ボックス内にすべての文書が揃ったことをユーザが確認しした上で手動で文書中の日付を変更しなければならなかったが、上述した文書処理装置ではこのような煩わしさからユーザを解放することができる。      
【０１３７】
また、「文書が複数のユーザに回覧される場合には各ユーザに回覧されたことを示す情報を文書に付加したい」、といった要求に対しても、上述した文書処理装置ではユーザに過大な負担を掛けることなく容易に応じることができる。
【０１３８】
すなわち、上記の要求に対して従来のボックス機能では、文書を閲覧したユーザまたは回覧する文書を管理しているユーザ等が、パーソナルコンピュータ等の文書編集機能を備えた装置およびソフトウェアでこの文書を開き、然るべき回覧済みの印を追記して保存し直さなければならなかったが、上述した文書処理装置ではこのような煩わしさからユーザを解放することができる。
【０１３９】
また、ボックス内の文書に対する各種の文書処理をおこなうタイミングは、ボックスに文書が登録される前後に限定されず、種々のタイミングを設定することができるため、多様な用途に容易に適用することができる。
【０１４０】
また、以上のような文書処理装置によれば、ユーザがボックス内の文書の処理の段階（文書状況）に応じたプリントモードを予め設定しておくことにより、プリント指示があったときには、そのタイミングに応じて適切なプリントモードが自動的に設定されてプリントが実行される。したがって、ユーザは、プリントモードの設定にとらわれることなくプリント指示を行うことで、プリントの目的に適切に合致したプリント物を得ることができる。
【０１４１】
このため、不必要に高品位のプリントモードでプリントしてしまうこと等が軽減され、ランニングコストの節減を測ることもできる。
【０１４２】
（その他の構成）
以上、本発明を一実施形態に基づいてい説明したが、本発明は以下のように構成してもよい。
【０１４３】
（ａ）上記実施形態においては、ボックス内の文書に対する文書処理の内容を当該ボックス内に登録したが、他の記憶手段に当該ボックスを関連付けて記憶してもよい。同様に、ボックス内の文書に対して適用するプリントモードの内容を当該ボックス内に登録したが、他の記憶手段に当該ボックスを関連付けて記憶してもよい。
【０１４４】
（ｂ）上記実施形態では、ボックス内で文書処理対象となる文書として、入出力端末（パーソナルコンピュータ）からネットワーク３を介して受信した文書を例としたがこれに限定されない。たとえば、外部のファクシミリ装置等から電話回線等を介して受信したファクシミリ文書、電子メール文書、文書処理装置１自身が有するスキャナー機能等によって取得した文書（画像）等、種々の入手先から入手した文書であってもよい。
【０１４５】
（ｃ）上記実施形態では、プリント部を有する文書処理装置１を例としたが、プリント部を有さず、ネットワーク等を介して外部のプリンタ装置にプリント指示を出すようにしてもよい。
【０１４６】
（ｄ）上記実施形態では、複数ユーザが作成した複数の文書を合体合成して、これに対して文書内容の変更を伴う文書処理を行ったが、初めから単一の文書に対して文書処理を行うようにしてもよい。
【０１４７】
（ｅ）上記実施形態においては、文書処理の内容やプリントモードの設定を文書処理装置の操作パネルを介して入力するようにしたが、ネットワークを介して接続された外部の入出力装置（パーソナルコンピュータ）等から各種の入力を行うようにしてもよい。この場合、ネットワークインターフェース部は、ボックス内の文書に対して行う種々の文書処理の内容をユーザから受ける処理内容入力手段として機能する。
【０１４８】
（ｆ）上記実施形態においては、ボックス内の文書に対する文書処理の内容、文書処理の実行条件（実行タイミング）、プリントモードの内容、各プリントモードを適用する条件（処理の段階；文書状況）について、操作パネルにおいて予め用意されたいくつかの選択肢がユーザに提示されるようにしたが、ユーザが直接にプログラム言語等を用いて文書処理の内容等を実行するためのプログラムを入力するようにしてもよい。
【０１４９】
（ｇ）上記実施形態においては、文書処理の実行条件をユーザが設定できるようにしたが、１または複数の実行条件のみが予め設定されているようにしてもよい。
【０１５０】
（ｈ）上記実施形態においては、文書処理の内容を設定した後（図８（ａ））に、その実行条件（図８（ｂ））を設定するようにしたが、逆にしてもよい。また、複数の選択肢を提示する場合には、その時点で選択すべきでない項目は、選択できないようにたとえばグレイ色で表示するようにしてもよい。たとえば文書を転送する文書処理が設定される前における図８（ｂ）の「文書返信」の項目が該当する。
【０１５１】
（ｉ）上記実施形態では、文書処理装置が文書を受信したとき、これを登録するボックスが存在することを前提としたが、指定されたボックスが存在しない場合には、動作制御部が、記憶部に新たなボックスを作成して登録する、一般文書として登録する、文書の送信元（ユーザ）にボックスが存在しない旨のメッセージを送信する、文書の送信元（ユーザ）にこれらの選択肢を提示して処理を選択させる等の処理を行うこととしてもよい。
【０１５２】
また、ボックスが存在しても、その文書が指定登録元（指定された送信元）から送信されたものでなかった場合（図１０のステップＳ１２でＮＯ）も、動作制御部において新規のボックスを作成したり、文書の送信元（ユーザ）に対してその旨のメッセージを送信するなどの処理を行うこととしてもよい。
【０１５３】
（ｊ）上記実施形態においては、ユーザが文書の処理の段階に応じたプリントモードの設定を行うことによって、種々のプリントモードが自動的に適用されるように構成したが、文書の処理の段階に応じて自動的に適用される種々のプリントモードが予め設定されているようにしてもよい。たとえば予め文書処理の手順が１または複数用意されているならば、その文書処理の手順に応じた適切なプリントモードを予め設定しておくことが可能である。
【０１５４】
（ｋ）上記実施形態では、文書内容の変更を伴う文書処理（画像処理）が行われた場合に、その前後で文書処理の段階（文書状況）が変化したとしてプリントモードを変更するようにしたが、画像処理を伴わない文書処理が行われた場合の前後や、具体的な画像処理は行わないけれども所定の条件が満たされる前後（たとえばある文書の登録から所定時間経過する前後）において、文書処理の段階（文書状況）が変化したとしてプリントモードを変更するようにしてもよい。
【０１５５】
（ｌ）上記実施形態においては、プリント指示のタイミングに応じてプリントモードの変更を行ったが、これに加えて、誰からのプリント指示であるかも加味してプリントモードの変更を行うようにしてもよい。このようにすると、文書を作成した（あるいは作成中の）本人からのプリント指示である場合と、別人からのプリント指示である場合とでプリントアウトする目的が異なっていていも、これに適切に対応することができる。
【０１５６】
（補足）
なお、上述した具体的な一実施形態には、以下の構成を有する発明が含まれている。
【０１５７】
（１）上記の文書処理装置において、前記処理内容入力手段は、ユーザから前記文書処理の内容とともにその文書処理を実行する実行条件を受け、前記処理内容記憶手段は、前記文書処理の内容とともに前記実行条件を記憶する文書処理装置。
【０１５８】
このようにすると、文書内容の変更を伴う文書処理を、任意の適切なタイミングで実行することができる。
【０１５９】
（２）上記の文書処理装置において、前記処理内容入力手段は、ユーザに対して複数の前記実行条件を選択可能に提示する文書処理装置。
【０１６０】
このようにすると、ユーザは実行条件を容易に設定することができる。
【０１６１】
（３）上記の文書処理装置において、前記実行条件は、前記ボックス内に予め設定した所定数の文書が揃ったことを設定可能である文書処理装置。
【０１６２】
このようにすると、複数人が分担して文書を作成する場合には、全員の文書の作成が完了して文書全体を完成できるときに、文書内容の変更を伴う文書処理を実行することができる。
【０１６３】
（４）上記文書処理装置において、前記処理内容記憶手段は、１つの前記ボックスに対し、複数の文書処理の内容を記憶することができる文書処理装置。
【０１６４】
このようにすると、１つのボックスにおいて、複数の文書処理を行うことができる。
【０１６５】
（５）上記の文書処理装置において、前記処理内容入力手段は、ユーザに対して複数の前記文書処理の内容を選択可能に提示する文書処理装置。
【０１６６】
このようにすると、ユーザは文書処理の内容を容易に設定することができる。
【０１６７】
（６）上記の文書処理装置において、前記ボックスを複数備え、前記処理内容入力手段は、いずれか１のボックス内の文書に対する文書処理の内容をユーザから受ける文書処理装置。
【０１６８】
このようにすると、複数のボックス毎に異なった文書処理を設定して、複数のボックスをそれぞれ異なる手順の作業に利用することができる。
【０１６９】
（７）上記の文書処理装置において、前記ボックス内には複数の文書が登録可能であり、前記処理内容入力手段は、前記ボックス内のいずれか１の文書に対する文書処理の内容をユーザから受ける文書処理装置。
【０１７０】
このようにすると、ボックス内の各文書毎に異なった文書処理を設定して、１のボックスにおいて複数の異なる手順の作業を行うことができる。
【０１７１】
（８）上記の文書処理装置において、前記文書処理の各段階におけるプリントモードの内容をユーザから受けるためのプリントモード取得手段を備えた文書処理装置。
【０１７２】
このようにすると、文書処理の各段階におけるプリントモードをユーザが任意の設定することができる。
【０１７３】
（９）前記プリントモード取得手段は、ユーザから前記プリントモードの内容とともにそれに関連付けられる前記文書処理の段階を受ける文書処理装置。
【０１７４】
このようにすると、種々のプリントモードを適用する文書処理の段階をユーザが任意に設定することができる。
【０１７５】
（１０）上記の文書処理装置において、前記プリントモード入力手段は、ユーザに対して複数の前記文書処理の段階を選択可能に提示する文書処理装置。
【０１７６】
このようにすると、ユーザは種々のプリントモードに対応する文書処理の段階を容易に設定することができる。
【０１７７】
（１１）上記文書処理装置において、前記プリントモード記憶手段は、１つの前記ボックスに対し、複数のプリントモードの内容を記憶することができる文書処理装置。
【０１７８】
このようにすると、１つのボックスにおいて、文書処理の段階に応じて複数のプリントモードを適宜設定することができる。
【０１７９】
（１２）上記の文書処理装置において、前記プリントモード内容入力手段は、ユーザに対して複数の前記プリントモードの内容を選択可能に提示する文書処理装置。
【０１８０】
このようにすると、ユーザはプリントモードの内容を容易に設定することができる。
【０１８１】
（１３）上記の文書処理装置において、前記ボックスを複数備え、前記プリントモード内容入力手段は、いずれか１のボックス内の文書に対するプリントモードの内容をユーザから受ける文書処理装置。
【０１８２】
このようにすると、複数のボックス毎に異なったプリントモードを設定することができる。
【０１８３】
（１４）上記の文書処理装置において、前記ボックス内には複数の文書が登録可能であり、前記プリントモード内容入力手段は、前記ボックス内のいずれか１の文書に対するプリントモードの内容をユーザから受ける文書処理装置。
【０１８４】
このようにすると、ボックス内の各文書毎に異なったプリントモードを設定することができる。
【０１８５】
（１５）  文書を登録可能な１または複数のボックス内の文書に対して、その文書内容を変更する文書処理の内容を予めユーザから取得し、
前記文書処理の内容を記憶しておき、
前記文書処理の所定の実行条件が満たされたときには、前記ボックス内の文書に対して、前記文書処理の内容に基づいてその文書内容を変更する文書処理を行うことを特徴とする文書処理方法。
【０１８６】
（１６）  文書を登録可能な１または複数のボックス内の文書に対して、所定の条件が満たされたときに所定の文書処理を行う文書処理装置における文書処理方法であって、
予め前記文書処理の段階とプリントモードとを関連付けて記憶しておき、
ユーザから前記１または複数のボックス内の文書に対するプリント指示を受けたときには、そのときの前記文書処理の段階に応じて、プリントモードをその文書処理の段階に関連付けられたプリントモードに変更することを特徴とする文書処理方法。
【０１８７】
（１７）コンピュータを文書処理装置として機能させるプログラムであって、
文書を登録可能な１または複数のボックスと、
前記ボックス内の文書に対してその文書内容を変更する文書処理の内容をユーザから受けるための処理内容入力手段と、
前記ボックス内または前記ボックス外に設けられ、前記文書処理の内容を記憶する処理内容記憶手段と、
前記文書処理の所定の実行条件が満たされたときには、前記ボックス内の文書に対して、前記文書処理の内容に基づいてその文書内容を変更する文書処理を行う文書内容変更処理手段と、
してコンピュータを機能させることを特徴とするプログラム。
【０１８８】
（１８）前記プログラムが記録されたコンピュータ読み取り可能な記録媒体。
【０１８９】
（１９）コンピュータを文書処理装置として機能させるプログラムであって、
文書を登録可能な１または複数のボックスと、
所定の条件が満たされたときに前記ボックス内の文書に対して所定の文書処理を行う文書処理手段と、
前記ボックス内または外に設けられ、前記文書処理の段階とプリントモードとを関連付けて記憶するプリントモード記憶手段と、
ユーザから前記ボックス内の文書に対するプリント指示を受けるプリント指示入力手段と、
前記プリント指示を受けたときの前記文書処理の段階に応じて、プリントモードをその文書処理の段階に関連付けられたプリントモードに変更するプリントモード制御手段と、してコンピュータを機能させることを特徴とするプログラム。
【０１９０】
（２０）前記プログラムが記録されたコンピュータ読み取り可能な記録媒体。
【０１９１】
以上のように、本実施形態においては、ユーザがボックス内の文書の文書内容を変更する文書処理を予め設定しておけば、所定の実行条件が満たされたときに、その文書内容を変更する文書処理が自動的に実行されるため、たとえばボックス内の文書を用いる作業が進展していきその文書内容の変更が求められる場合等には、ユーザがその都度手動でボックス内の文書の文書内容の変更操作を行わなくても自動的にボックス内の文書の文書内容を変更させることができ、ユーザの負担を軽減して高い利便性を得ることができる。
【０１９２】
また、本実施形態においては、文書処理の段階とプリントモードとが関連づけて記憶され、ユーザからボックス内の文書に対するプリント指示を受けたときには、その文書処理の段階に応じた適切なプリントモードに自動的に変更され、そのプリントモードでプリントが行われるため、たとえばボックス内の文書を用いる作業が進展してその文書をプリントアウトする目的が変化していく場合等には、ユーザがプリント指示を出す際にいちいちプリントモードの設定操作を手動で行わなくても自動的に文書処理の段階に応じた適切なプリントモードを設定することができ、ユーザの負担を軽減して高い利便性を得ることができる。
【図面の簡単な説明】
【０１９３】
【図１】この発明の実施形態である文書処理装置を含む文書処理システムの全体構成を示す概念図である。
【図２】ボックスの概念説明図であり、（ａ）は、ボックスの構成図、（ｂ）は、処理情報の一例を示す説明図、（ｃ）は、プリントモード情報の一例を示す説明図である。
【図３】ボックス内の文書を用いて行われる作業の流れの一例を示す説明図である。
【図４】文書登録が完了したときに行われる、文書内容の変更を伴う文書処理の一例である。
【図５】文書が承認されて返信されてきたときに行われる、文書内容の変更を伴う文書処理の一例である。
【図６】文書の処理の段階に応じて設定されたプリントモードの一例である。
【図７】ボックスに文書処理機能を設定する際の操作パネル画面の一例であり、（ａ）は機能を追加するボックスの選択画面、（ｂ）は登録文書を特定する特徴の入力画面、（ｃ）は登録文書を特定する送信元の入力画面である。
【図８】ボックスに文書処理機能を設定する際の操作パネル画面の一例であり、（ａ）は文書の変更部分の選択画面、（ｂ）は文書内容の変更を伴う文書処理を行うタイミングの選択画面、（ｃ）は、文書内容の変更を伴う文書処理が設定された後の選択画面、（ｄ）は文書の送信先の入力画面である。
【図９】ボックスに文書処理機能を設定する際の操作パネル画面の一例であり、（ａ）は文書内容の変更を伴う文書処理後に適用するプリントモードの設定画面、（ｂ）はプリントモードのうちカラーモードの設定画面、（ｃ）はプリントモードのうちページ設定の設定画面である。文書の処理の段階に応じたプリントモードを設定している場面である。
【図１０】文書を受信したときの処理手順の一例を示すフローチャートである。
【図１１】文書登録が完了したときの処理手順の一例を示すフローチャートである。
【図１２】文書登録が完了したときに行われる、文書内容の変更を伴う文書処理の手順の一例を示すフローチャートである。
【図１３】文書が返信されてきたときの処理手順の一例を示すフローチャートである。
【図１４】文書が承認されて返信されてきたときに行われる、文書内容の変更を伴う文書処理の手順の一例を示すフローチャートである。
【図１５】プリント指示を受けたときの処理手順の一例を示すフローチャートである。
【符号の説明】
【０１９４】
１  文書処理装置（ＭＦＰ）
２  入出力端末（パーソナルコンピュータ）
３  ネットワーク（ＬＡＮ）
１１  動作制御部
１２  ネットワークインタフェース部
１３  操作パネル
１４  プログラム登録部
１５  記憶部
１５１  ボックス
１６  プログラム実行部
１７  画像処理部
１８  プリント部
１９  原稿読み取り部
【図１】
2006325203.tif 000003
【図２】
2006325203.tif 000004
【図３】
2006325203.tif 000005
【図４】
2006325203.tif 000006
【図５】
2006325203.tif 000007
【図７】
2006325203.tif 000008
【図８】
2006325203.tif 000009
【図９】
2006325203.tif 000010
【図１０】
2006325203.tif 000011
【図１１】
2006325203.tif 000012
【図１２】
2006325203.tif 000013
【図１３】
2006325203.tif 000014
【図１４】
2006325203.tif 000015
【図１５】
2006325203.tif 000016
【図６】
2006325203.tif 000017